(57)【特許請求の範囲】
【請求項１】
入力信号を増幅する第１の増幅回路と、前記第１の増幅回路で増幅された信号を増幅する第２の増幅回路とを有する音響アンプ回路において、
前記第１の増幅回路の動作切換指示に応じて電圧のオン・オフを行う動作切換スイッチと、
前記動作切換スイッチにより供給された電圧に応じた第１乃至第３のレベルの電圧を生成する分圧回路と、
前記分圧回路で分圧された電圧のうち第１の電圧と基準電圧とを比較する第１のコンパレータと、
前記分圧回路で分圧された電圧のうち第２の電圧と基準電圧を比較する第２のコンパレータと、
前記分圧回路で分圧された電圧のうち第３の電圧と基準電圧を比較する第３のコンパレータと、
前記第１のコンパレータの出力反転時と前記第３のコンパレータの出力反転時との間で前記第２の増幅回路をミュートさせるミュート制御手段と、
前記第２のコンパレータの出力反転時に前記第１の増幅回路の動作を切り換える動作切換制御手段とを有することを特徴とする音響用アンプ回路。
【請求項２】
前記動作切換スイッチと前記分圧回路との接続点に接続され、前記第１の増幅回路の動作切換指示に応じて前記動作切換スイッチから供給される電圧を遅延させるコンデンサを有することを特徴とする請求項２記載の音響用アンプ回路。
【発明の詳細な説明】
【０００１】
【発明の属する技術分野】
本発明は音響用アンプ回路に係り、特に、ショックノイズを低減するミュート回路が内蔵された音響用アンプ回路に関する。
【０００２】
【従来の技術】
ラジオ付きカセットテーププレーヤには、ラジオとカセットテープとが設けられ、ラジオとカセットテープとの切換を行い、音声出力を選択的に出力する。このとき、回路構成を簡単にするため、ラジオの音声信号とカセットテープの音声信号とは、同一のパワーアンプにより増幅され、イヤフォンやスピーカから出力される。
【０００３】
このとき、カセットテーププレーヤの磁気ヘッドからの信号はプリアンプにより増幅された後、パワーアンプに供給され、ラジオの出力信号は、直接パワーアンプに供給され増幅され、出力される。このため、ラジオの出力を選択する場合には、プリアンプは動作させる必要がないので、カセットテープからの出力信号からラジオの出力信号に切換を行う場合には、プリアンプをオフしていた。
【０００４】
しかし、プリアンプをオフする際、プリアンプはポップノイズを発生する。このままでは、プリアンプで発生したポップノイズがパワーアンプに供給され、パワーアンプでポップノイズが増幅され、ショックノイズとして出力されてしまうので、パワーアンプをミュート状態するためのミュート回路が設けられていた。
図４に従来の音響用アンプ回路の一例のブロック構成図を示す。
【０００５】
従来の音響用アンプ１は、１チップのＩＣ（Integrated Circuit）からなり、入力端子Ｔ1 に一端が接続されたカセットテープ部１０の磁気ヘッド１１からの信号を増幅するプリアンプ２、バイアス端子Ｔ2 に接続された磁気ヘッド１１の他端に直流バイアスを供給する基準電圧源３、プリアンプ２の出力信号及び端子Ｔ3 から供給されるラジオ３０からの音声信号を増幅して、外部端子Ｔ4 に接続されたイヤフォン２０に供給するパワーアンプ４、外部端子Ｔ5 に接続されたイヤフォン２０の他端に直流バイアスを供給する基準電圧源５、外部端子Ｔ6 に供給される切換制御信号に応じてプリアンプ２の動作を制御するプリアンプ制御スイッチ６、外部端子Ｔ7 に供給されるミュート制御信号に応じてパワーアンプ４への入力を制御するミュート制御スイッチ７から構成される。
【０００６】
外部端子Ｔ1 ，Ｔ2 にはカセットテープ部１０の磁気ヘッド１１が接続される。磁気ヘッド１１は、キャプスタンモータ１２により走行された磁気テープ１３に接触しており、磁気テープ１３に記録された情報に応じた磁気の変化を電気信号に変換する。磁気ヘッド１１は、外部端子Ｔ2 から供給される直流バイアスによりバイアスされる。このため、磁気ヘッド１１で変換される信号は、直流バイアスを中心とした信号として外部端子Ｔ1 に供給される。
【０００７】
外部端子Ｔ1 は、プリアンプ２に接続されている。プリアンプ２は、外部端子Ｔ1 に供給された磁気ヘッド１１からの信号を増幅して、出力する。プリアンプ２には、プリアンプ２の動作を制御するプリアンプ制御スイッチ６が接続されている。プリアンプ２は、プリアンプ制御スイッチ６がオンのとき、動作状態とされ、外部端子Ｔ1 に供給される磁気ヘッド１１からの信号を増幅する。また、プリアンプ２は、プリアンプ制御スイッチ６がオフのとき、動作が停止され、外部端子Ｔ1 に供給される磁気ヘッド１１からの信号の出力を停止する。
【０００８】
プリアンプ２の出力は、ミュート制御スイッチ７の一方の入力端子Ｔa に接続される。ミュート制御スイッチ７の一方の入力端子には、プリアンプ２の出力信号の他に、外部端子Ｔ3 に供給されるラジオ３０の出力信号が供給される。
また、ミュート制御スイッチ７の他方の入力端子Ｔb は、基準電圧源５に接続されている。さらに、ミュート制御スイッチ７の出力端子Ｔc は、パワーアンプ４の非反転入力端子に接続されている。
【０００９】
ミュート制御スイッチ７は、外部端子Ｔ7 に供給されるミュート制御信号がハイレベル時、プリアンプ２及びラジオ３０が接続された一方の端子Ｔa が出力端子Ｔc に接続する。また、ミュート制御スイッチ７は、外部端子Ｔ7 に供給されるミュート制御信号がローレベル時、基準電圧電源５で発生される基準電圧Ｖref2が供給される他方の端子Ｔb が出力端子Ｔc に接続する。
【００１０】
パワーアンプ４は、非反転入力端子にミュート制御スイッチ７の出力端子Ｔcが接続され、反転入力端子には、基準電圧源５が接続される。このため、パワーアンプ４は、外部端子Ｔ7 に供給されるミュート制御信号がハイレベルとなり、ミュート制御スイッチ７の出力端子Ｔc が入力端子Ｔa 側に接続されたときには、基準電圧電源５から供給される基準電圧Ｖref2を中心にプリアンプ２又はラジオ３０の出力信号の増幅を行い、出力端子Ｔ4 から出力する。また、パワーアンプ４は、外部端子Ｔ7 に供給されるミュート制御信号がローレベルとなり、ミュート制御スイッチ７の出力端子Ｔc が入力端子Ｔb 側に接続されたときには、非反転入力端子及び反転入力端子がともに基準電圧電源５から供給される基準電圧Ｖref2とされるので、ゼロレベルの信号を出力端子Ｔ4 から出力する。
【００１１】
音響用アンプ１の外部端子Ｔ6 及びＴ7 は、カセットテープ部１０の出力とラジオ３０の出力とを選択的に切り換えるための出力切換回路４０に接続されている。切換回路４０は、カセットテープ部１０の出力とラジオ３０の出力とを切り換えるための出力切換スイッチ４１、ミュート制御信号を生成するためのミュート制御信号生成回路４２から構成される。
【００１２】
出力切換スイッチ４１は、可動接点４１ａ及び固定接点４１ｂ，４１ｃを有する。出力切換スイッチ４１の可動接点４１ａには電源５０から電圧Ｖccが供給され、固定接点４１ｂは、音響用アンプ１のプリアンプオフ端子Ｔ6 に接続され、固定接点４１ｃは、ミュート制御信号生成回路４２に接続される。
ミュート制御信号生成回路４２は、ＮＰＮトランジスタＱ1 、コンデンサＣ1 、抵抗Ｒ1 ，Ｒ2 ，Ｒ3 から構成され、電源５０がミュート制御回路４２に接続されたときに一瞬、ミュート制御信号をローレベルにし、ミュート制御スイッチ７を入力端子Ｔb と出力端子Ｔc とが接続されるように制御してミュートを行い、電源５０が端子Ｔ6 に接続された後には、ミュートを解除する。
【００１３】
出力切換スイッチ４１の可動接点４１ａが固定接点４１ｂに接続された状態では、電源５０の電源電圧Ｖccは音響用アンプ１のプリアンプオフ端子Ｔ6 に供給され、プリアンプ制御スイッチ６をオフ状態とする。このとき、固定接点４１ｃは、開放状態であるので、カセットテープ部１０には電源５０の電源電圧Ｖccは供給されない。カセットテープ部１０のキャプスタンモータ１２は、電源５０の電源電圧Ｖccから駆動電圧を得ており、電源５０の電源電圧Ｖccが供給されない状態では、駆動しない。
【００１４】
また、このとき、トランジスタＱ1 はオフしており、ミュート制御端子Ｔ7 はハイレベルとされ、ミュート制御スイッチ７は、入力端子Ｔa が出力端子Ｔc に接続される。さらに、カセットテープ部１０がオフとされると、ラジオ３０が駆動状態とされ、ミュート制御スイッチ７の入力端子Ｔa には、ラジオ３０の出力が供給される。したがって、ラジオ３０の出力がパワーアンプ４に供給され、増幅されて、出力端子Ｔ4 から出力される。
【００１５】
プリアンプ２をオン状態からオフ状態にする場合の動作について説明する。出力切換スイッチ４１の可動接点４１ａを固定接点４１ｃから固定接点４１ｂに接続されるように切り換えると、固定接点４１ｂに電源５０から電源電圧Ｖccが供給されるので、ミュート制御信号生成回路４２に電源電圧Ｖccが供給される。ミュート制御信号生成回路４２に電源電圧Ｖccが供給されると、電源電圧Ｖccの変化により、コンデンサＣ1 に電流が流れ、抵抗Ｒ1 ，Ｒ2 の接続点に電圧が発生される。抵抗Ｒ1 ，Ｒ2 に発生された電圧は、トランジスタＱ1 のベースに供給される。トランジスタＱ1 は、抵抗Ｒ1 ，Ｒ2 に発生された電圧により一瞬オンし、ミュート制御端子Ｔ7 をローレベルにする。
【００１６】
ミュート制御端子Ｔ7 がローレベルになると、ミュート制御スイッチ７の出力端子Ｔc の接続が入力端子Ｔb 側に切り替わる。ミュート制御スイッチ７の出力端子Ｔc と入力端子Ｔb とが接続されると、パワーアンプ４２の入力は無信号となり、ミュート状態となる。このように、出力切換スイッチ４１の操作時に電源５０の電源電圧Ｖccの変化によりミュート制御スイッチ７が制御され、プリアンプ２のオフ時にポップノイズのパワーアンプ４への供給を切断し、ミュートがかけられる。
【００１７】
【発明が解決しようとする課題】
しかるに、従来の音響用アンプ回路は、プリアンプの動作を制御するプリアンプ制御スイッチを制御するプリアンプ制御端子とミュートの動作を制御するミュート制御スイッチを制御するミュート制御端子とがそれぞれ別々に設けられており、外部回路４２によりプリアンプの動作とミュートの動作とをプリアンプのオフ時にポップノイズが発生しないように同期させて制御していたため、構成部品点数が多くなり、コストが上昇するとともに、音響用アンプ回路を１チップ化したときに外部端子数が多くなり、音響用アンプ回路の小型化を妨げていた。
【００１８】
本発明は上記の点に鑑みてなされたもので、ミュートとアンプ動作を制御するための外部回路が不要となる音響用アンプ回路を提供することを目的とする。
【００１９】
【課題を解決するための手段】
本発明の請求項１は、入力信号を増幅する第１の増幅回路と、
前記第１の増幅回路で増幅された信号を増幅する第２の増幅回路とを有する音響アンプ回路において、
前記第１の増幅回路の動作切換指示に応じて電圧のオン・オフを行う動作切換スイッチと、
前記動作切換スイッチにより供給された電圧に応じた第１乃至第３のレベルの電圧を生成する分圧回路と、
前記分圧回路で分圧された電圧のうち第１の電圧と基準電圧とを比較する第１のコンパレータと、
前記分圧回路で分圧された電圧のうち第２の電圧と基準電圧を比較する第２のコンパレータと、
前記分圧回路で分圧された電圧のうち第３の電圧と基準電圧を比較する第３のコンパレータと、
前記第１のコンパレータの出力反転時と前記第３のコンパレータの出力反転時との間で前記第２の増幅回路をミュートさせるミュート制御手段と、
前記第２のコンパレータの出力反転時に前記第１の増幅回路の動作を切り換える動作切換制御手段とを有することを特徴とする。
【００２０】
請求項１によれば、第２のコンパレータの比較結果により第１の増幅回路の動作切換を行い、第１及び第３のコンパレータの比較結果により第２のコンパレータの比較結果の前後のタイミングを検出し、ミュートの制御を行うことにより、第１の増幅回路の動作切換時にミュートをかけることができる。このとき、第１の増幅回路の動作切換のタイミングの前後のタイミングを検出して、ミュートの制御を行っているので、第１の増幅回路の動作切換時に確実にミュートをかけることができる。
【００２１】
請求項２は、前記動作切換スイッチと前記分圧回路との接続点に接続され、前記第１の増幅回路の動作切換指示に応じて前記動作切換スイッチから供給される電圧を遅延させるコンデンサを有することを特徴とする。
請求項２によれば、コンデンサにより動作切換スイッチから供給される電圧に遅延をかけることにより、第１乃至第３のコンパレータの出力反転間隔を大きくできるので、第１及び第３のコンパレータの出力反転の間で確実に第２のコンパレータの出力を反転させることができ、第１の増幅回路の動作切換時に確実にミュートをかけることができる。
【００２２】
【発明の実施の形態】
図１に本発明の音響用アンプ回路の一実施例のブロック構成図を示す。同図中、図４と同一構成部分には同一符号を付し、その説明は省略する。
本実施例の音響用アンプ回路１００は、１チップの半導体装置から構成され、内部に磁気ヘッド１１に直流バイアスを供給するための基準電圧源３、イヤフォン２０に直流バイアスを供給するとともにパワーアンプ４に基準電圧Ｖref2を供給するための基準電圧源５、プリアンプ２の動作を制御するプリアンプ制御スイッチ６、パワーアンプ４の入力を制御することによりミュートを制御するミュート制御スイッチ７の他に、プリアンプ制御スイッチ６、及び、ミュート制御スイッチ７を同期して制御する制御回路１１０を設けてなる。
【００２３】
制御回路１１０は、制御端子Ｔ11，Ｔ12と接地との間に直列に接続された抵抗Ｒ11，Ｒ12，Ｒ13、基準電圧Ｖref0を発生する基準電圧源１１１、制御端子Ｔ11，Ｔ12と抵抗Ｒ11との接続点の電圧Ｖ11と基準電圧Ｖref0とを比較するコンパレータ１１２、抵抗Ｒ11と抵抗Ｒ12との接続点の電圧Ｖ12と基準電圧Ｖref0とを比較するコンパレータ１１３、抵抗Ｒ12と抵抗Ｒ13との接続点の電圧Ｖ13と基準電圧Ｖref0とを比較するコンパレータ１１４、コンパレータ１１２の出力とコンパレータ１１４の反転出力とのアンドをとり、その出力のよりプリアンプ制御スイッチ６を制御するゲート１１５、コンパレータ１１２の出力とコンパレータ１１３の出力とのアンドをとるゲート１１６、基準電圧Ｖref10 を発生する基準電圧源１１７、ゲート１１５の出力と基準電圧源１１７で発生された基準電圧Ｖref10 との大小を比較し、比較結果に応じてミュート制御スイッチ７を制御するコンパレータ１１８から構成される。
【００２４】
制御端子Ｔ11には、イヤフォン２０に出力する出力信号をカセットテープ１０の出力信号又はラジオ３０の出力信号のいずれかに切り換える出力切換スイッチ１２０の一端が接続される。出力切換スイッチ１２０は、他端が電源５０に接続される。出力切換スイッチ１２０は、使用者により切り換えられる。使用者はカセットテープ部１０の出力を選択するときにオンし、ラジオ３０の出力を選択するときにオフする。
【００２５】
出力切換スイッチ１２０は、オフされると切換端子Ｔ11が開放され、オンされると切換端子Ｔ11に電源電圧Ｖ11を供給する。切換端子Ｔ11に供給された電源電圧Ｖcc（＝Ｖ11）は、コンパレータ１１２の非反転入力端子に供給される。
コンパレータ１１２の反転入力端子には、基準電圧源１１１から基準電圧Ｖref0が供給され、電源電圧Ｖcc（＝Ｖ11）と基準電圧源１１１から供給された基準電圧Ｖref0との大小を比較する。コンパレータ１１２は、電源電圧Ｖcc（＝Ｖ11）が基準電圧Ｖref0より小さいときにはローレベルとなり、電源電圧Ｖcc（＝Ｖ11）が基準電圧Ｖref0より大きいときにはハイレベルとなる出力パルスを出力して、ゲート１１５及びゲート１１６に供給する。
【００２６】
また、切換端子Ｔ11に供給された電源電圧Ｖccは、抵抗Ｒ11，Ｒ12，Ｒ13により分割されて、抵抗Ｒ11と抵抗Ｒ12との接続点に電圧Ｖ12を発生させる。抵抗Ｒ11と抵抗Ｒ12との接続点に発生された電圧Ｖ12は、コンパレータ１１３の非反転入力端子に供給される。
コンパレータ１１３の反転入力端子には、基準電圧源１１１から基準電圧Ｖref0が供給され、電圧Ｖ12と基準電圧源１１１から供給された基準電圧Ｖref0との大小を比較する。コンパレータ１１３は、電圧Ｖ12が基準電圧Ｖref0より小さいときにはローレベルとなり、電圧Ｖ12が基準電圧Ｖref0より大きいときにはハイレベルとなる出力パルスを出力して、ゲート１１６に供給する。
【００２７】
ゲート１１６には、コンパレータ１１２の出力、及び、コンパレータ１１３の出力が供給される。ゲート１１６は、コンパレータ１１２の出力とコンパレータ１１３の出力とのアンド論理を取り、プリアンプ制御スイッチ６に供給する。
プリアンプ制御スイッチ６は、ゲート６の出力がハイレベルのときに、オンし、ゲート６の出力がローレベルのときにオフする。プリアンプ２は、プリアンプ制御スイッチ６がオンのときには、動作され、磁気ヘッド１１からの信号を増幅し、プリアンプ制御スイッチ６がオフのときには、動作が停止され、信号が出力されないようにする。
【００２８】
さらに、切換端子Ｔ11に供給された電源電圧Ｖccは、抵抗Ｒ11，Ｒ12，Ｒ13により分割されて、抵抗Ｒ12と抵抗Ｒ13との接続点に電圧Ｖ13を発生させる。抵抗Ｒ12と抵抗Ｒ13との接続点に発生された電圧Ｖ13は、コンパレータ１１４の非反転入力端子に供給される。コンパレータ１１４の反転入力端子には、基準電圧源１１１から基準電圧Ｖref0が供給され、電圧Ｖ13と基準電圧源１１１から供給された基準電圧Ｖref0との大小を比較する。コンパレータ１１４は、電圧Ｖ13が基準電圧Ｖref0より小さいときにはローレベルとなり、電圧Ｖ13が基準電圧Ｖref0より大きいときにはハイレベルとなる出力パルスを出力して、ゲート１１５に供給する。コンパレータ１１４の出力は、ゲートで反転されて、コンパレータ１１２の出力とのアンドが取られる。
【００２９】
ゲート１１５は、コンパレータ１１２の出力とコンパレータ１１４の反転出力とのアンドを取って出力する。ゲート１１５の出力は、コンパレータ１１８の非反転入力端子に供給される。
コンパレータ１１８の反転入力端子には、基準電圧源１１７から基準電圧Ｖref10 が供給される。コンパレータ１１８は、ゲート１１５の出力と基準電圧Ｖref10 とを比較して、ゲート１１５の出力が基準電圧Ｖref10 より小さければ、ローレベル、ゲート１１５の出力が基準電圧Ｖref10 より大きければ、ハイレベルとなる出力信号を出力する。コンパレータ１１８の出力は、ミュート制御スイッチ７に供給される。
【００３０】
ミュート制御スイッチ７は、コンパレータ１１８の出力がローレベルのとき、入力端子Ｔa と出力端子Ｔc とを接続し、カセットテープ部１０の出力又はラジオ３０の出力をパワーアンプ４に供給し、コンパレータ１１８の出力がハイレベルのとき、入力端子Ｔb と出力端子Ｔc とを接続する。このため、パワーアンプ４の非反転入力端子及び反転入力端子には、基準電圧源５で生成される基準電圧Ｖref2が供給され、パワーアンプ４は、ミュート状態とされる。
【００３１】
また、端子Ｔ11と抵抗Ｒ11との接続点には、端子Ｔ12が接続されている。端子Ｔ12には、切換スイッチ１２０のオフ時に、端子Ｔ11の電圧の低下を遅延させるコンデンサＣ11が接続される。コンデンサＣ11により端子Ｔ11の電圧は、徐々に低下する。
図２に本発明の一実施例のプリアンプをオンからオフさせるときの動作波形図を示す。図２（Ａ）はコンパレータ１１２，１１３，１１４の非反転入力端子に供給される電圧の波形、図２（Ｂ）はコンパレータ１１２の出力、図２（Ｃ）はコンパレータ１１３の出力、図２（Ｄ）はコンパレータ１１４の出力、図２（Ｅ）はゲート１１５の出力、図２（Ｆ）はゲート１１６の出力の波形図を示す。なお、図２（Ａ）で実線は端子Ｔ11に印加される電圧Ｖ11、点線は抵抗Ｒ11と抵抗Ｒ12との接続点に生じる電圧Ｖ12、一点鎖線は抵抗Ｒ12と抵抗Ｒ13との接続点に生じる電圧Ｖ13の波形を示す。
【００３２】
出力切換スイッチ１２０がオンで、端子Ｔ11に電源電圧Ｖccが供給されているときには、コンパレータ１１２の非反転入力端子に供給される電圧Ｖ11、コンパレータ１１２の非反転入力端子に供給される電圧Ｖ12、コンパレータ１１３の非反転入力端子に供給される電圧Ｖ13は抵抗Ｒ11，Ｒ12，Ｒ13で電圧が決定され、コンパレータ１１２，１１３，１１４に供給される基準電圧Ｖref0より大きくなる。このため、コンパレータ１１２，１１３，１１４の出力はいずれもハイレベルとなる。
【００３３】
ゲート１１５は、入力がともにハイレベルのときには、出力はローレベルとなる。このため、ミュート制御スイッチ７は、入力端子Ｔa と出力端子Ｔc が接続され、カセットテープ部１０の出力がパワーアンプ４に供給され、非ミュート状態とされる。
また、ゲート１１６は、入力がともにハイレベルのときには、出力がハイレベルとなる。このため、プリアンプ制御スイッチ６は、オンする。プリアンプ制御スイッチ６がオンすると、プリアンプ２は動作状態となり、カセットテープ部１０の磁気ヘッド１１からの信号がプリアンプ２により増幅され、ミュート制御スイッチ７に供給される。このとき、ラジオ３０はオフ状態とされるので、カセットテープ部１０でカセットテープを磁気ヘッド１１により再生した信号がプリアンプ２及びパワーアンプ４により増幅され、イヤフォン２０に出力される。
【００３４】
時刻ｔ0 で、出力切換スイッチ１２０がオフされると、端子Ｔ11への電源電圧Ｖccの供給が切断され、コンデンサＣ11の充電電圧が端子Ｔ12に印加される。コンデンサＣ11の充電電圧は、電源電圧Ｖccから徐々に低下する。
このとき、コンパレータ１１４の非反転入力端子に供給される電圧Ｖ13は、抵抗Ｒ12と抵抗Ｒ13との接続点から供給されるので、電圧Ｖ11，Ｖ12より小さく、図２（Ａ）に一点鎖線で示すように電圧Ｖ11，Ｖ12より速く低下する。したがって、電圧Ｖ13は、電圧Ｖ11，Ｖ12に比べて速い時刻ｔ1 で、基準電圧源１１１により発生される基準電圧Ｖref0に低下する。
【００３５】
時刻ｔ1 で、電圧Ｖ13が基準電圧Ｖref0以下に低下すると、図２（Ｄ）に示すようにコンパレータ１１４の出力がハイレベルからローレベルに反転する。時刻ｔ1 でコンパレータ１１４の出力がハイレベルからローレベルに反転すると、ゲート１１５の出力が図２（Ｅ）に示すようにハイレベルになる。ゲート１１５の出力がハイレベルになると、コンパレータ１１８の非反転入力端子への入力がハイレベルとなり、基準電圧源１１７で発生される基準電圧Ｖref10 より大きくなる。
【００３６】
このため、コンパレータ１１８の出力がハイレベルになり、ミュート制御スイッチ７の入力端子Ｔb と出力端子Ｔc とが接続され、パワーアンプ４の非反転入力端子には基準電圧Ｖref2が供給され、ミュート状態とされる。
時刻ｔ1 から時間が経過すると、コンデンサＣ11の充電電圧がさらに低下する。コンデンサＣ11の充電電圧が低下し、時刻ｔ2 で抵抗Ｒ11と抵抗Ｒ12との接続点の電圧Ｖ12が基準電圧源１１１で生成される基準電圧Ｖref0以下になると、図２（Ｃ）に示すようにコンパレータ１１３の出力がハイレベルからローレベルに反転する。時刻ｔ2 でコンパレータ１１３の出力がハイレベルからローレベルに反転すると、ゲート１１６の出力が図２（Ｆ）に示すようにハイレベルからローレベルになる。ゲート１１６の出力がローレベルになると、プリアンプ制御スイッチ６がオフして、プリアンプ２の動作が停止する。
【００３７】
このとき、ミュート制御スイッチ７によりミュート状態とされているため、プリアンプ２がオンからオフになるときに発生するショックノイズはイヤフォン２０には出力されない。
時刻ｔ2 からさらに時間が経過し、時刻ｔ3 でコンデンサＣ11の充電電圧が  基準電圧源１１１で発生される基準電圧Ｖref0以下になると、図２（Ｂ）に示すようにコンパレータ１１２の出力がハイレベルからローレベルに低下する。コンパレータ１１２の出力がハイレベルからローレベルに低下すると、ゲート１１５の出力は、図２（Ｅ）に示すようにローレベルになる。
【００３８】
ゲート１１５の出力がローレベルになると、コンパレータ１１８の非反転入力端子がローレベルになり、反転入力端子に供給される基準電圧Ｖref10 より小さくなるので、コンパレータ１１８の出力がローレベルになる。コンパレータ１１８の出力がローレベルになると、ミュート制御スイッチ７が入力端子Ｔa と出力端子Ｔc とが接続されるように制御され、パワーアンプ４のミュート状態を解除する。
【００３９】
このとき、ラジオ３０がオンされ、ラジオ３０からの信号がミュート制御スイッチ７を介してパワーアンプ４に供給され、増幅され、イヤフォン２０に供給される。
図３に本発明の一実施例のプリアンプをオフからオンさせるときの動作波形図を示す。図３（Ａ）はコンパレータ１１２，１１３，１１４の非反転入力端子に供給される電圧の波形、図３（Ｂ）はコンパレータ１１２の出力、図２（Ｃ）はコンパレータ１１３の出力、図３（Ｄ）はコンパレータ１１４の出力、図３（Ｅ）はゲート１１５の出力、図３（Ｆ）はゲート１１６の出力の波形図を示す。なお、図３（Ａ）で実線は端子Ｔ11に印加される電圧Ｖ11、点線は抵抗Ｒ11と抵抗Ｒ12との接続点に生じる電圧Ｖ12、一点鎖線は抵抗Ｒ12と抵抗Ｒ13との接続点に生じる電圧Ｖ13の波形を示す。
【００４０】
時刻ｔ10で出力切換スイッチ１２０をオンすると、端子Ｔ11に電源電圧Ｖccが供給される。端子Ｔ11に供給された電源電圧Ｖ11は、端子Ｔ12を介してコンデンサＣ11に供給される。コンデンサＣ11の充電電圧は抵抗Ｒ11〜Ｒ13に供給される。
時刻ｔ11で、コンデンサＣ11の充電電圧が基準電圧Ｖref0になると、コンパレータ１１２の出力が図３（Ｂ）に示すようにローレベルからハイレベルになる。コンパレータ１１４の出力がハイレベルからローレベルに反転すると、ゲート１１５の出力が図３（Ｅ）に示すようにハイレベルになる。ゲート１１５の出力がハイレベルになると、コンパレータ１１８の非反転入力端子への入力がハイレベルとなり、基準電圧源１１７で発生される基準電圧Ｖref10 より大きくなる。このため、コンパレータ１１８の出力がハイレベルになり、ミュート制御スイッチ７の入力端子Ｔb と出力端子Ｔc とが接続され、パワーアンプ４の非反転入力端子には基準電圧Ｖref2が供給されるため、パワーアンプ４は、ミュート状態とされる。
【００４１】
次に、時刻ｔ12で抵抗Ｒ11と抵抗Ｒ12との接続点の電圧Ｖ12が基準電圧Ｖref0より大きくなると、コンパレータ１１３の出力が図３（Ｃ）に示すようにローレベルからハイレベルに反転する。コンパレータ１１３の出力がローレベルからハイレベルに反転すると、ゲート１１６の入力はともにハイレベルになるので、ゲート１１６の出力はハイレベルになる。
【００４２】
ゲート１１６の出力がハイレベルになると、プリアンプ制御スイッチ６は、オンする。プリアンプ制御スイッチ６がオンすると、プリアンプ２は動作状態となり、カセットテープ部１０の磁気ヘッド１１からの信号がプリアンプ２により増幅され、ミュート制御スイッチ７に供給される。このとき、ミュート制御スイッチ７は、ミュート状態であるので、プリアンプ２がオフから状態になるときに発生するショックノイズは、パワーアンプ４には供給されず、ミュートされる。
【００４３】
次に、時刻ｔ13で、抵抗Ｒ12と抵抗Ｒ13との接続点の電圧Ｖ13が基準電圧Ｖrer0より大きくなると、コンパレータ１１４の出力が図３（Ｄ）に示すようにローレベルからハイレベルに反転する。コンパレータ１１４の出力がローレベルからハイレベルに反転すると、ゲート１１５の出力がローレベルになる。
ゲート１１５の出力がローレベルになると、コンパレータ１１８の非反転入力端子への入力がローレベルとなり、基準電圧源１１７で発生される基準電圧Ｖref10 より小さくなる。このため、コンパレータ１１８の出力がローレベルになり、ミュート制御スイッチ７の入力端子Ｔa と出力端子Ｔc とが接続され、ミュートが解除され、パワーアンプ４の非反転入力端子にはプリアンプ２の出力が供給される。
【００４４】
このように、本実施例によれば、プリアンプ２がオンからオフ、又は、オフからオンするときには、ミュート制御スイッチ７が制御され、パワーアンプ４がミュート状態とされた後、プリアンプ制御スイッチ６が制御され、プリアンプ２がオンからオフし、プリアンプ２がオフした後、ミュート制御スイッチ７が制御され、パワーアンプ４は非ミュート状態とされる。このため、プリアンプ２のオンからオフ時に発生するショックノイズを出力することなく、カセットテープ部１０の出力からラジオ３０の出力への切換を行うことができる。
【００４５】
このとき、本実施例によれば、端子Ｔ12に供給される電源電圧Ｖccを出力切換スイッチ１２０により制御するだけでよいので、音響用アンプ１００の外部にミュート制御用回路等の外部回路が不要となり、安価に構成できる。なお、本実施例では、出力をイヤフォンとしたこれに限ることはなく、通常のスピーカをイヤフォンに代えて接続する構成としてもよい。
【００４６】
【発明の効果】
上述の如く、本発明の請求項１によれば、第２のコンパレータの比較結果により第１の増幅回路の動作切換を行い、第１及び第３のコンパレータの比較結果により第２のコンパレータの比較結果の前後のタイミングを検出し、ミュートの制御を行うことにより、第１の増幅回路の動作切換時にミュートをかけることができ、このとき、第１の増幅回路の動作切換のタイミングの前後のタイミングを検出して、ミュートの制御を行っているので、第１の増幅回路の動作切換時に確実にミュートをかけることができる等の特長を有する。
【００４７】
請求項２によれば、コンデンサにより動作切換スイッチから供給される電圧に遅延をかけることにより、第１乃至第３のコンパレータの出力反転間隔を大きくできるので、第１及び第３のコンパレータの出力反転の間で確実に第２のコンパレータの出力を反転させることができ、第１の増幅回路の動作切換時に確実にミュートをかけることができる等の特長を有する。
【図面の簡単な説明】
【図１】本発明の音響用アンプ回路の一実施例のブロック構成図である。
【図２】本発明の音響用アンプ回路の一実施例のプリアンプをオンからオフにするときの動作波形図である。
【図３】本発明の音響用アンプ回路の一実施例のプリアンプをオフからオンにするときの動作波形図である。
【図４】従来の音響用アンプ回路の一例のブロック構成図である。
【符号の説明】
１００  音響用アンプ回路
２  プリアンプ
３，５，１１１，１１７  基準電圧源
４  パワーアンプ
６  プリアンプ制御スイッチ
７  ミュート制御スイッチ
１０  カセットテープ部
１１  磁気ヘッド
２０  イヤフォン
３０  ラジオ
１１２，１１３，１１４，１１８  コンパレータ
１１５，１１６  ゲート
１２０  出力切換スイッチ
Ｒ11，Ｒ12，Ｒ13  抵抗
Ｃ11  コンデンサ
【図１】
0003646457.tif 000002
【図２】
0003646457.tif 000003
【図３】
0003646457.tif 000004
【図４】
0003646457.tif 000005